(57)【特許請求の範囲】
【請求項１】
監視対象とするエレベータに設置された動作監視用の端末装置と、この端末装置と通信ネットワークを介して接続される監視センタとを備えたエレベータの遠隔監視システムにおいて、
上記監視センタは、
世界各地の時刻を管理するグローバル時刻テーブルと、
上記エレベータに付された設置番号から上記エレベータが設置された地域を判定する設置地域判定手段と、
この設置地域判定手段によって判定された地域に対応した現地時刻を上記グローバル時刻テーブルから取得して上記端末装置に送信する第１の時刻送信手段とを具備し、
上記端末装置は、
現在の時刻を計時する第１の端末時計と、
上記監視センタから送られて来た現地時刻に上記第１の端末時計の時刻を合わせる第１の時刻更新手段と、
上記エレベータの動作状態に関する情報を発報するときに、上記第１の端末時計を用いて情報発報時の第１の時刻を上記監視センタへ送信する第１の発報手段とを具備したことを特徴とするエレベータの遠隔監視システム。
【請求項２】
上記監視センタは、
上記エレベータの動作状態に関する情報を上記第１の時刻と共に表示する表示手段をさらに具備したことを特徴とする請求項１記載のエレベータの遠隔監視システム。
【請求項３】
上記監視センタは、
予め上記監視センタが存在する地域の標準時刻に調整された監視センタ時計と、
この監視センタ時計が計時する時刻をセンタ時刻として上記端末装置に送信する第２の時刻送信手段とをさらに具備し、
上記端末装置は、
上記第１の端末時計とは別に設置された第２の端末時計と、
上記監視センタから送られて来たセンタ時刻に上記第２の端末時計の時刻を合わせる第２の時刻更新手段と、
上記エレベータの動作状態に関する情報を発報するときに、上記第２の端末時計を用いて情報発報時の第２の時刻を上記監視センタへ送信する第２の発報手段とさらに具備したことを特徴とする請求項１記載のエレベータの遠隔監視システム。
【請求項４】
上記監視センタは、
上記エレベータの動作状態に関する情報を上記第１の時刻と上記第２の時刻と共に表示する表示手段をさらに具備したことを特徴とする請求項３記載のエレベータの遠隔監視システム。
【請求項５】
上記監視センタは、
予め設定された期間毎に上記第１の時刻送信手段から現地時刻を上記端末装置に送信して上記第１の端末時計を定期的に更新することを特徴とする請求項１記載のエレベータの遠隔監視システム。
【請求項６】
上記監視センタは、
予め設定された期間毎に上記第２の時刻送信手段からセンタ時刻を上記端末装置に送信して上記第２の端末時計を定期的に更新することを特徴とする請求項３記載のエレベータの遠隔監視システム。
【発明の詳細な説明】
【技術分野】
【０００１】
本発明の実施形態は、エレベータの運転状態を遠隔的に監視するエレベータの遠隔監視システムに関する。
【背景技術】
【０００２】
エレベータの遠隔監視システムは、各地域に存在する多数のエレベータと監視センタとを通信ネットワークで接続し、各エレベータの動作状態に関する各種情報を監視センタに送ることで、各エレベータの動作状態を遠隔的に監視している。監視センタでは、各エレベータから送られて来た各種情報を監視画面に表示するなどして、何らかの異常を検出した場合に保守員を現場に派遣するなどして対応する。
【先行技術文献】
【特許文献】
【０００３】
【特許文献１】特開２００５−１４３０５５号公報
【発明の概要】
【発明が解決しようとする課題】
【０００４】
他国に設置されたエレベータを遠隔監視する場合に現地時刻との時間的なずれ、つまり、時差を考慮しなければならない。すなわち、一般的に、エレベータの動作状態を監視するために必要な端末装置（遠隔監視装置とも呼ぶ）は、契約使用である。端末装置の契約が切れると、回収されて他の物件のエレベータに最利用される。その際、端末装置を他国で使用すると、監視センタ側では、端末装置からエラー発報があった場合に現地との時差を考慮して解析する必要があり、非常に効率が悪い。
【０００５】
本発明が解決しようとする課題は、他国に設置されたエレベータの動作状態を現地時刻で監視でき、何らかのエラーが発生した場合に現地時刻を基準にして適切に対応することのできるエレベータの遠隔監視システムを提供することである。
【課題を解決するための手段】
【０００６】
一実施形態に係るエレベータの遠隔監視システムは、監視対象とするエレベータに設置された動作監視用の端末装置と、この端末装置と通信ネットワークを介して接続される監視センタとを備える。
【０００７】
上記監視センタは、世界各地の時刻を管理するグローバル時刻テーブルと、上記エレベータに付された設置番号から上記エレベータが設置された地域を判定する設置地域判定手段と、この設置地域判定手段によって判定された地域に対応した現地時刻を上記グローバル時刻テーブルから取得して上記端末装置に送信する第１の時刻送信手段とを具備する。
【０００８】
上記端末装置は、現在の時刻を計時する第１の端末時計と、上記監視センタから送られて来た現地時刻に上記第１の端末時計の時刻を合わせる第１の時刻更新手段と、上記エレベータの動作状態に関する情報を発報するときに、上記第１の端末時計を用いて情報発報時の第１の時刻を上記監視センタへ送信する第１の発報手段とを具備する。
【図面の簡単な説明】
【０００９】
【図１】図１は第１の実施形態に係るエレベータの遠隔監視システムの構成を示す図である。
【図２】図２は同実施形態におけるエレベータの遠隔監視システムの機能構成を示すブロック図である。
【図３】図３は同実施形態における監視センタに表示されるエラー情報の一例を示す図である。
【図４】図４は第２の実施形態に係るエレベータの遠隔監視システムの機能構成を示すブロック図である。
【図５】図５は同実施形態における監視センタに表示されるエラー情報の一例を示す図である。
【発明を実施するための形態】
【００１０】
以下、図面を参照して実施形態を説明する。
【００１１】
（第１の実施形態）
図１は第１の実施形態に係るエレベータの遠隔監視システムの構成を示す図である。
【００１２】
監視対象であるエレベータ１１が通信ネットワーク１２を介して監視センタ１３に接続されている。なお、エレベータ１１は監視センタ１３とは別の国に設置されているものとする。例えば、監視センタ１３は日本国内にあり、エレベータ１１は日本以外の国に設置されている場合を想定している。つまり、監視センタ１３は、通信ネットワーク１２を通じて他国に存在するエレベータ１１の動作状態を遠隔的に監視している。通信ネットワーク１２は、公衆回線網などからなる。
【００１３】
図１の例では、１台のエレベータ１１しか図示されていないが、実際には各国毎に様々な場所（世界各地）に設置された多数のエレベータ１１が監視対象として通信ネットワーク１２を介して監視センタ１３に接続されている。監視センタ１３は、これらのエレベータ１１から送られて来る各種情報を監視画面に表示するなどして、何らかの異常を検出した場合に保守員を現場に派遣するなどして対応する。
【００１４】
エレベータ１１には、エレベータ制御装置２１、遠隔監視装置２２が設けられている。具体的には、エレベータ１１が設置されたビルの機械室などにエレベータ制御装置２１と遠隔監視装置２２が設置されている。
【００１５】
エレベータ制御装置２１は、例えば乗りかごの速度制御やドアの開閉制御、各種操作ボタンに対応した制御などを含むエレベータ全体の運転制御を行う。このエレベータ制御装置２１に遠隔監視装置２２が接続されている。
【００１６】
遠隔監視装置２２は、エレベータ１１の動作状態を監視するための端末装置であり、通信機能を備えている。遠隔監視装置２２は、エレベータ制御装置２１から予め設定された各監視項目に関する情報を読み出し、これらの情報をエレベータ１１の設置国の通信規格に従って監視センタ１３に送る。各監視項目としては、例えば「非常呼びボタン押下状態」，「運行情報：エラーログ」，「運行情報：運行ログ」などがある。ただし、これらの監視項目は、各国共通ではなく、国によって異なる。
【００１７】
図２は同実施形態におけるエレベータの遠隔監視システムの機能構成を示すブロック図である。
【００１８】
監視センタ１３内には、監視対象とするエレベータ１１の動作状態を通信ネットワーク１２を介して遠隔監視するための制御装置２３が設置されている。本実施形態において、この制御装置２３には、グローバル時刻テーブル３１、設置地域判定部３２、現地時刻送信部３３、エラー表示部３４が備えられている。
【００１９】
グローバル時刻テーブル３１は、世界各地の時刻を管理している。設置地域判定部３２は、監視対象とするエレベータ１１の設置地域（エレベータ１１が設置された国の地域）を判定する。現地時刻送信部３３は、設置地域判定部３２によって判定された地域に対応した現地時刻をグローバル時刻テーブル３１から取得してエレベータ１１の遠隔監視装置２２に送信する。
【００２０】
エラー表示部３４は、エレベータ１１の遠隔監視装置２２から送られて来たエラー情報を当該エラー情報に付された第１の時刻（現地時刻）と共に表示する。
【００２１】
一方、監視対象であるエレベータ１１には、エレベータ制御装置２１と遠隔監視装置２２が設置されている。上述したように、エレベータ制御装置２１は、エレベータ１１の運転制御を行う。このエレベータ制御装置２１には、設置番号記録部５１とエラー検出部５２が備えられている。
【００２２】
設置番号記録部５１には、エレベータ１１に付された設置番号が記録されている。エラー検出部５２は、エレベータ１１の動作中に発生したエラー情報を検出する。
【００２３】
遠隔監視装置２２は、エレベータ１１の設置国の通信規格に従って監視センタ１３と通信するための通信機能を備えている。この遠隔監視装置２２には、設置番号取得部４１、設置番号送信部４２、現地時刻更新部４３、端末時計４４、エラー受信部４５、エラー発報部４６が備えられている。
【００２４】
設置番号取得部４１は、監視センタ１３からの要求に従ってエレベータ制御装置２１の設置番号記録部５１に記録されたエレベータ１１の設置番号を取得する。設置番号送信部４２は、設置番号取得部４１によって得られたエレベータ１１の設置番号を監視センタ１３に送信する。
【００２５】
現地時刻更新部４３は、監視センタ１３から送られて来た現地時刻に端末時計４４の時刻を合わせる。端末時計４４は、遠隔監視装置２２に設けられた第１の内部時計であり、現地時刻を計時するために用いられる。
【００２６】
エラー受信部４５は、エレベータ制御装置２１のエラー検出部５２によって検出されたエラー情報を受信する。エラー発報部４６は、エラー受信部４５で受信されたエラー情報を発報するときに、端末時計４４を用いてエラー発生時の第１の時刻（現地時刻）を監視センタ１３に送信する。
【００２７】
次に、第１の実施形態の動作について説明する。なお、図２に付した括弧数字は動作の手順を表している。
【００２８】
他国に設置されたエレベータ１１の動作状態を監視センタ１３で遠隔監視するための初期設定の１つとして、以下のような時刻設定が監視センタ１３の遠隔操作によって実行される。
【００２９】
（１）エレベータ制御装置２１の設置番号記録部５１には、エレベータ型式、エレベータ１１が設置されている地域、建物名を特定できる設置番号が記録されている。監視センタ１３（詳しくは監視センタ１３内の制御装置２３）は、遠隔監視装置２２に対してエレベータ１１の設置番号の要求信号を送信する。遠隔監視装置２２の設置番号取得部４１は、上記要求信号を受信すると、エレベータ制御装置２１の設置番号記録部５１からエレベータ１１の設置番号を読み出して設置番号送信部４２に渡す。
【００３０】
（２）設置番号送信部４２は、所定の通信手順に従って通信ネットワーク１２にアクセスし、設置番号取得部４１によって得られたエレベータ１１の設置番号を監視センタ１３に送信する。
【００３１】
（３）監視センタ１３の設置地域判定部３２は、遠隔監視装置２２から送られて来たエレベータ１１の設置番号に基づいてエレベータ１１が設置されている地域を判定する。詳しくは、各地に設置されたエレベータの物件情報（設置番号，エレベータ型式，地域，建物名など）が記録された図示せぬ物件テーブルを参照し、遠隔監視装置２２から送られて来たエレベータ１１の設置番号からエレベータ１１の設置地域を判定する。
【００３２】
（４）エレベータ１１の設置地域が判定されると、設置地域判定部３２からの要求により、エレベータ１１の設置地域に対応した現地時刻がグローバル時刻テーブル３１から読み出されて現地時刻送信部３３に与えられる。
【００３３】
（５）現地時刻送信部３３は、所定の通信手順に従って現地時刻を遠隔監視装置２２に送信する。
【００３４】
（６）遠隔監視装置２２では、現地時刻更新部４３が監視センタ１３から送られて来た現地時刻に基づいて端末時計４４の時刻を更新する。つまり、監視センタ１３から送られて来た現地時刻に端末時計４４の時刻を同期させることで、端末時計４４が計時する時刻をエレベータ１１の設置地域の時刻に合わせる。
【００３５】
以後は、エレベータ１１の運転時に遠隔監視装置２２がエレベータ１１の動作状態を監視し、何らかのエラー（異常）が発生した場合に以下のような手順で監視センタ１３に発報する。
【００３６】
（７）エレベータ制御装置２１のエラー検出部５２によってエラーが検出されると、そのエラーに関する情報（エラー情報）が遠隔監視装置２２に送られ、エラー受信部４５によって受信される。
【００３７】
（８）遠隔監視装置２２に設けられたエラー発報部４６は、エラー受信部４５で受信されたエラー情報に端末時計４４から得られるエラー発生時刻（現地時刻を基準とした第１の時刻）を付して所定の通信手順で監視センタ１３に送る。
【００３８】
（９）監視センタ１３は、遠隔監視装置２２から送られて来たエラー情報をエラー表示部３４に表示する。エラー表示部３４に表示されるエラー情報の一例を図３に示す。エラー情報には、設置番号，設置国，物件の場所，エラー内容などの情報が含まれており、これらの情報がエラー発生時刻と共に所定の形式で表示される。このとき、エラー表示部３４で表示されるエラー発生時刻は現地時刻である。したがって、現地との間に時差があっても、エラー発生時刻を現地時刻で認識することができる。
【００３９】
このように第１の実施形態によれば、監視センタ１３からの遠隔操作によって遠隔監視装置２２に備えられた端末時計４４の時刻をエレベータ１１の設置地域に正確に合わせることができる。したがって、現地での保守員の時刻合わせの作業を不要として、保守員の負担を軽減できる。また、エレベータ１１に何らかのエラー（異常）が発生した場合に、監視センタ１３側では、エラー発生時刻を現地時刻で認識して適切な対応を取ることができる。
【００４０】
なお、上記第１の実施形態では、エレベータ１１の遠隔監視装置２２から監視センタ１３に対してエラーを発報する場合を例にして説明したが、エラーを含め、エレベータ１１の動作状態に関する何らかの情報を発報するときには、そのときの情報に現地時刻を付して送るものとする。
【００４１】
また、例えば１ヶ月毎など、予め設定された期間で監視センタ１３から遠隔監視装置２２に現地時刻を送信して、端末時計４４の時刻を定期的に更新するようにしても良い。このようにすれば、例えば何らかの事情で遠隔監視装置２２が別地域で使用された物に交換されても、現地時刻を正確に計時することができる。
【００４２】
（第２の実施形態）
次に、第２の実施形態について説明する。
【００４３】
上記第１の実施形態では、エレベータ１１に何らかのエラーが発生した際に、現地時刻で確認できるようにした。これに対し、第２の実施形態では、現地時刻とセンタ時刻の両方で確認できるようにしたものである。ここで言う「センタ時刻」とは、遠隔監視側の時刻つまり監視センタ１３が存在する地域の時刻である。例えば、監視センタ１３が日本国内のある地域に設置されていれば、日本国における標準時刻である。
【００４４】
図４は第２の実施形態におけるエレベータの遠隔監視システムの機能構成を示すブロック図である。なお、上記第１の実施形態と同じ部分には同一符号を付して、その説明を省略するものとする。
【００４５】
監視センタ１３内には、監視対象とするエレベータ１１の動作状態を通信ネットワーク１２を介して遠隔監視するための制御装置２３が設置されている。第２の実施形態において、この制御装置２３には、グローバル時刻テーブル３１、設置地域判定部３２、現地時刻送信部３３、エラー表示部３４に加え、監視センタ時計３５、センタ時刻送信部３６が備えられている。
【００４６】
監視センタ時計３５は、制御装置２３に設けられた内部時計であり、予め監視センタ１３が存在する地域の標準時刻に調整されている。センタ時刻送信部３６は、監視センタ時計３５の時刻をセンタ時刻としてエレベータ１１の遠隔監視装置２２に送信する。
【００４７】
また、第２の実施形態において、エラー表示部３４では、エレベータ１１の遠隔監視装置２２から送られて来たエラー情報を当該エラー情報に付された第１の時刻（現地時刻）と第２の時刻（センタ時刻）と共に表示する。
【００４８】
一方、監視対象であるエレベータ１１に設置された遠隔監視装置２２には、設置番号取得部４１、設置番号送信部４２、現地時刻更新部４３、端末時計４４、エラー受信部４５、エラー発報部４６の他に、センタ時刻更新部４７、端末時計４８、エラー発報部４９が備えられている。
【００４９】
センタ時刻更新部４７は、監視センタ１３から送られて来たセンタ時刻に端末時計４８の時刻を合わせる。端末時計４８は、端末時計４４とは別に遠隔監視装置２２に設置された第２の内部時計であり、センタ時刻を計時するために用いられる。
【００５０】
エラー発報部４９は、エラー受信部４５で受信されたエラー情報を発報するときに、端末時計４６を用いてエラー発生時の第２の時刻（センタ時刻）を監視センタ１３に送信する。
【００５１】
次に、第２の実施形態の動作について説明する。なお、図４に付した括弧数字は動作の手順を表している。
【００５２】
他国に設置されたエレベータ１１の動作状態を監視センタ１３で遠隔監視するための初期設定の１つとして、以下のような時刻設定が監視センタ１３の遠隔操作によって実行される。なお、（１）〜（５）までの手順は上記第１の実施形態と同様である。
【００５３】
（１）エレベータ制御装置２１の設置番号記録部５１には、エレベータ型式、エレベータ１１が設置されている地域、建物名を特定できる設置番号が記録されている。監視センタ１３（詳しくは監視センタ１３内の制御装置２３）は、遠隔監視装置２２に対してエレベータ１１の設置番号の要求信号を送信する。遠隔監視装置２２の設置番号取得部４１は、上記要求信号を受信すると、エレベータ制御装置２１の設置番号記録部５１からエレベータ１１の設置番号を読み出して設置番号送信部４２に渡す。
【００５４】
（２）設置番号送信部４２は、所定の通信手順に従って通信ネットワーク１２にアクセスし、設置番号取得部４１によって得られたエレベータ１１の設置番号を監視センタ１３に送信する。
【００５５】
（３）監視センタ１３の設置地域判定部３２は、遠隔監視装置２２から送られて来たエレベータ１１の設置番号に基づいてエレベータ１１が設置されている地域を判定する。詳しくは、各地に設置されたエレベータの物件情報（設置番号，エレベータ型式，地域，建物名など）が記録された図示せぬ物件テーブルを参照し、遠隔監視装置２２から送られて来たエレベータ１１の設置番号からエレベータ１１の設置地域を判定する。
【００５６】
（４）エレベータ１１の設置地域が判定されると、設置地域判定部３２からの要求により、エレベータ１１の設置地域に対応した現地時刻がグローバル時刻テーブル３１から読み出されて現地時刻送信部３３に与えられる。
【００５７】
（５）現地時刻送信部３３は、所定の通信手順に従って現地時刻を遠隔監視装置２２に送信する。
【００５８】
（６）ここで、第２の実施形態では、遠隔監視装置２２からエレベータ１１の設置番号が送られて来たときに、設置地域判定部３２からの要求が監視センタ時計３５に対しても与えられている。これにより、監視センタ時計３５から現在のセンタ時刻が読み出されてセンタ時刻送信部３６に与えられる。
【００５９】
（７）センタ時刻送信部３６は、所定の通信手順に従ってセンタ時刻を遠隔監視装置２２に送信する。
【００６０】
（８）遠隔監視装置２２では、現地時刻更新部４３が監視センタ１３から送られて来た現地時刻に基づいて端末時計４４の時刻を更新する。つまり、監視センタ１３から送られて来た現地時刻に端末時計４４の時刻を同期させることで、端末時計４４が計時する時刻をエレベータ１１の設置地域の時刻に合わせる。
【００６１】
また、遠隔監視装置２２では、端末時計４４の時刻の更新と同時に端末時計４８の時刻の更新も行う。つまり、センタ時刻更新部４７は、監視センタ１３から送られて来たセンタ時刻に端末時計４８の時刻を同期させることで、端末時計４８が計時する時刻を監視センタ１３側の地域の時刻に合わせる。
【００６２】
以後は、エレベータ１１の運転時に遠隔監視装置２２がエレベータ１１の動作状態を監視し、何らかのエラー（異常）が発生した場合に以下のような手順で監視センタ１３に発報する。
【００６３】
（９）エレベータ制御装置２１のエラー検出部５２によってエラーが検出されると、そのエラーに関する情報（エラー情報）が遠隔監視装置２２に送られ、エラー受信部４５によって受信される。
【００６４】
（１０）遠隔監視装置２２に設けられたエラー発報部４６は、エラー受信部４５で受信されたエラー情報に端末時計４４から得られるエラー発生時刻（現地時刻を基準とした第１の時刻）を付して所定の通信手順で監視センタ１３に送る。
【００６５】
同時に、エラー発報部４９は、エラー受信部４５で受信されたエラー情報に端末時計４８から得られるエラー発生時刻（センタ時刻を基準とした第２の時刻）を付して所定の通信手順で監視センタ１３に送る。
【００６６】
（１１）監視センタ１３は、遠隔監視装置２２から送られて来たエラー情報をエラー表示部３４に表示する。エラー表示部３４に表示されるエラー情報の一例を図５に示す。エラー情報には、設置番号，設置国，物件の場所，エラー内容などの情報が含まれており、これらの情報が２つのエラー発生時刻と共に所定の形式で表示される。
【００６７】
このとき、エラー表示部３４で表示される２つのエラー発生時刻は現地時刻とセンタ時刻である。例えば現地との間に＋１２時間の時差がある場合に、現地時刻の９：００に発生したエラーがセンタ時刻では２１：００になることを一目で確認することができる。
【００６８】
このように第２の実施形態によれば、エレベータ１１に何らかのエラー（異常）が発生した場合に、監視センタ１３側では、エラー発生時刻を現地時刻だけでなく、センタ時刻でも確認することができる。したがって、現地との時差を認識した上で、現地の保守員に対して適切なタイミングで出動要請するなどして適切に応対することができる。
【００６９】
なお、エレベータ１１の遠隔監視装置２２から監視センタ１３に対してエラーを発報する場合に限らず、エラーを含め、エレベータ１１の動作状態に関する何らかの情報を発報するときには、そのときの情報に現地時刻とセンタ時刻を付して送るものとする。
【００７０】
また、例えば１ヶ月毎など、予め設定された期間で監視センタ１３から遠隔監視装置２２に現地時刻とセンタ時刻を送信して、端末時計４４と端末時計４８の時刻を定期的に更新するようにしても良い。このようにすれば、例えば何らかの事情で遠隔監視装置２２が別地域で使用された物に交換されても、現地時刻とセンタ時刻を正確に計時することができる。
【００７１】
以上述べた少なくとも１つの実施形態によれば、他国に設置されたエレベータの動作状態を現地時刻で監視でき、何らかのエラーが発生した場合に現地時刻を基準にして適切に対応することのできるエレベータの遠隔監視システムを提供することができる。
【００７２】
なお、図４の例では、現地時刻に関する部分とセンタ時刻に関する部分に分けて示したが、例えば監視センタ１３側では、１つの時刻送信部が現地時刻とセンタ時刻を遠隔監視装置２２に送信する構成でも良い。また、遠隔監視装置２２側では、１つの時刻更新部が現地時刻とセンタ時刻の更新を行い、１つのエラー発報部がエラー情報に現地時刻とセンタ時刻を付加して監視センタ１３に送信する構成でも良い。
【００７３】
要するに、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１１…エレベータ、１２…通信ネットワーク、１３…監視センタ、２１…エレベータ制御装置、２２…遠隔監視装置、２３…制御装置、３１…グローバル時刻テーブル、３２…設置地域判定部、３３…現地時刻送信部、３４…エラー表示部、３５…監視センタ時計、３６…センタ時刻送信部、４１…設置番号取得部、４２…設置番号送信部、４３…現地時刻更新部、４４…端末時計、４５…エラー受信部、４６…エラー発報部、４７…センタ時刻更新部、４８…端末時計、４９…エラー発報部、５１…設置番号記録部、５２…エラー検出部。
【要約】
【課題】他国に設置されたエレベータの動作状態を現地時刻で監視でき、何らかのエラーが発生した場合に現地時刻を基準にして適切に対応する。
【解決手段】監視センタ１３は、グローバル時刻テーブル３１と、エレベータが設置された地域を判定する設置地域判定部３２と、設置地域判定部３２によって判定された地域に対応した現地時刻をグローバル時刻テーブル３１から取得して遠隔監視装置２２に送信する現地時刻送信部３３とを備える。遠隔監視装置２２は、端末時計４４と、監視センタ１３から送られて来た現地時刻に端末時計４４の時刻を合わせる現地時刻更新部４３と、エレベータの動作状態に関する情報を発報するときに、端末時計４４を用いて情報発報時の第１の時刻を監視センタ１３へ送信するエラー発報部４６とを備える。
【選択図】図２【図１】
0006010185.tif 000002
【図２】
0006010185.tif 000003
【図３】
0006010185.tif 000004
【図４】
0006010185.tif 000005
【図５】
0006010185.tif 000006